(57)【要約】本開示は、走査型プリンタキャリッジと、キャリッジモーターと、キャリッジモーターと走査型プリンタキャリッジとの間の伝動ベルトと、走査型プリンタキャリッジをキャリッジモーターに移動させ、走査型プリンタキャリッジに印刷データを移動させる命令を提供するデータ制御ユニットと、キャリッジモーター及び走査型プリンタキャリッジに電力を供給する電源とを含む画像形成装置を提供する。データ制御ユニットは、無線データ転送により、または伝動ベルト内の導電性素子を介して、走査型プリンタキャリッジに印刷データを伝送し、電源は、伝動ベルト内の導電性素子を介して、または電磁誘導により、走査型プリンタキャリッジに電力を伝送する。【選択図】図４
2020524102.tif 000002
【特許請求の範囲】
【請求項１】
走査型プリンタキャリッジ（110）と、
キャリッジモーター（120）と、
前記キャリッジモーター（120）と前記走査型プリンタキャリッジ（110)との間の伝動ベルト（130）と、
前記走査型プリンタキャリッジ（110）を前記キャリッジモーター（120）に移動させ、前記走査型プリンタキャリッジ（110）に印刷データ（200）を移動させる命令を提供するデータ制御ユニット（140）と、
前記キャリッジモーター（120）及び前記走査型プリンタキャリッジ（110）に電力（300）を供給する電源（150）と
を含み、
前記データ制御ユニット（140）は、
無線データ転送により、または
前記伝動ベルト（130）内の導電性素子（202）を介して、
前記走査型プリンタキャリッジ（110）に印刷データ（200）を伝送し、
前記電源（150）は、
前記伝動ベルト（130）内の導電性素子（302）を介して、または
電磁誘導により、
前記走査型プリンタキャリッジ（110）に電力（300）を伝送する、画像形成装置（100）。
【請求項２】
前記画像形成装置は、プリンタ装置またはプリンタシステムである、請求項１に記載の画像形成装置（100）。
【請求項３】
前記印刷データ（200）は、無線データプロトコルによって伝送される、請求項１または請求項２に記載の画像形成装置（100）。
【請求項４】
前記画像形成装置は、前記走査型プリンタキャリッジ（110）の走査軸に沿って複数の無線通信ノード（201）を含む、請求項３に記載の画像形成装置（100）。
【請求項５】
前記電力（300）は、前記伝動ベルト（130）内の導電性素子（302）を介して伝送される、請求項１〜４の何れか一項に記載の画像形成装置（100）。
【請求項６】
前記画像形成装置は、前記走査型プリンタキャリッジ（110）の走査軸に沿って複数の電磁誘導コイル（301）を含む、請求項５に記載の画像形成装置（100）。
【請求項７】
前記データ制御ユニット（140）は、一回のキャリッジ走査のための印刷データ（200）をバースト状に伝送する、請求項１〜６の何れか一項に記載の画像形成装置（100）。
【請求項８】
走査型プリンタキャリッジ（110）と、
キャリッジモーター（120）と、
前記キャリッジモーター（120）と前記走査型プリンタキャリッジ（110）との間の伝動ベルト（130）と、
前記走査型プリンタキャリッジ（110）を前記キャリッジモーター（120）に移動させ、前記走査型プリンタキャリッジ（110）に印刷データ（200）を移動させる命令を提供するデータ制御ユニット（140）と、
前記キャリッジモーター（120）及び前記走査型プリンタキャリッジ（110）に電力（300）を供給する電源（150）と
を含み、
前記データ制御ユニット（140）は、無線データ転送により、前記走査型プリンタキャリッジ（110）に印刷データ（200）を伝送し、
前記電源（150）は、前記伝動ベルト（130）内の導電性素子（302）を介して、前記走査型プリンタキャリッジ（110）に電力（300）を伝送する、画像形成装置（100）。
【請求項９】
プリンタシステム（100）内で、データ制御ユニット（140）から走査型プリンタキャリッジ（110）へ、２つの無線通信ノード（201）間で、印刷データ（200）を伝送し、
プリンタシステム（100）内で、電源（150）から走査型プリンタキャリッジ（110）へ、キャリッジモーター（120）と走査型プリンタキャリッジ（110）との間の伝動ベルト（130）内の導電性素子（302）を介して、電力（300）を伝送すること
を含む、方法（500）。
【請求項１０】
一組のコンピュータ読み取り可能命令が記憶された非一時的コンピュータ読み取り可能記憶媒体（605）であって、前記一組のコンピュータ読み取り可能命令が、第１の画像形成装置（100）に関連する少なくとも１つのプロセッサ（600）によって実行されたときに、前記少なくとも１つのプロセッサ（600）に、
プリンタシステム（100）内で、データ制御ユニット（140）から走査型プリンタキャリッジ（110）へ、
２つの無線通信ノード（201）間で、または
前記キャリッジモーター（120）と前記走査型プリンタキャリッジ（110）との間の伝動ベルト（130）内の導電性素子（302）を介して、
印刷データ（200）を伝送させ、
プリンタシステム（100）内で、電源（150）から走査型プリンタキャリッジ（110）へ、
前記キャリッジモーター（120）と前記走査型プリンタキャリッジ（110）との間の伝動ベルト（130）の導電性素子（302）を介して、または
電磁誘導により、
電力（300）を伝送させる、非一時的コンピュータ読み取り可能記憶媒体（605）。
【請求項１１】
前記一組のコンピュータ読み取り可能命令は、第１の画像形成装置（100）に関連する少なくとも１つのプロセッサ（600）によって実行されたときに、前記少なくとも１つのプロセッサ（600）に、前記キャリッジモーター（120）と前記走査型プリンタキャリッジ（110）との間の伝動ベルト（130）内の導電性素子（302）を介して、前記印刷データ（200）と前記電力との両方を前記走査型プリンタキャリッジ（300）に伝送させる、請求項１０に記載の非一時的コンピュータ読み取り可能記憶媒体（605）。
【発明の詳細な説明】
【背景技術】
【０００１】
インクジェットプリンタシステムのような画像形成装置では、プリントヘッドは、移動するプリンタキャリッジ内に含まれており、プリンタキャリッジは、印刷方向に対して垂直に配置されたキャリッジレールに沿って、印刷媒体を横切って前後に走査される。
【図面の簡単な説明】
【０００２】
本開示の種々の特徴は、本開示の特徴を共に例示する添付の図面と併せて、以下の詳細な説明から明らかになるであろう。
【図１】例示的プリンタシステムの簡略図である。
【図２ａ】データを伝送する例示的プリンタシステムの概略図である。
【図２ｂ】データを伝送する例示的プリンタシステムの概略図である。
【図３ａ】電力を伝送する例示的プリンタシステムの概略図である。
【図３ｂ】電力を伝送する例示的プリンタシステムの概略図である。
【図４】データと電力の両方を伝送する例示的プリンタシステムの概略図である。
【図５】例示的方法のフロー図である。
【図６】一例によるコンピュータ読み取り可能媒体の概略図である。
【０００３】
図面において、同様の部分は、同様の参照符号で示されている。
【発明を実施するための形態】
【０００４】
詳細な説明
シリアルドットマトリックス、ピエゾ及びサーマルインクジェットプリンタのような一部のプリンタシステムは、印刷媒体の表面に対して平行に、かつ、印刷方向に対して垂直に配置された走査レール（又は一組のレール）に沿って移動する走査型プリンタキャリッジを採用している。電力と印刷データが、プリンタキャリッジに提供され、プリンタキャリッジが印刷媒体を前後に走査している間に、プリンタキャリッジからフィードバックデータを受信することもある。データと電力は、少なくとも１本の専用ケーブルで走査型プリンタキャリッジに供給される。
【０００５】
図１は、走査レール１３５に沿って移動する走査型プリンタキャリッジ１１０を有する例示的プリンタシステム１００を示している。走査型プリンタキャリッジ１１０は、プリンタシステムのプリントヘッドを含み、一部の例では、例えばインクカートリッジのような印刷流体リザーバ（複数可）を含む。プリントヘッドは、走査型プリンタキャリッジ１１０の下にある印刷媒体１０にインク１１５を噴射する。
【０００６】
キャリッジモーター１２０は、伝動ベルト１３０を駆動する。伝動ベルト１３０により、走査型プリンタキャリッジ１１０は、印刷方向２０に対して垂直に、印刷媒体１０を横切って、前後に加減速される。一部の例では、走査型プリンタキャリッジ１１０の位置を、１０分の１ミリメートル以内で制御することができる。一部の例では、走査型プリンタキャリッジ１１０が第１の方向（例えば、印刷媒体１０の幅を横切って左から右）に走査されるときと、走査型プリンタキャリッジ１１０が第２の方向（例えば、走査レール１３５に沿って印刷媒体１０の幅を横切って右から左へ）走査されるときとの両方において印刷処理を実行することにより、印刷速度を増加させることが可能となる。
【０００７】
図示の例では、印刷媒体１０は、走査型プリンタキャリッジ１１０に対して印刷方向２０に移動されている。一部の例では、印刷媒体１０は、静止状態にあり、走査型プリンタキャリッジとその関連部品は、印刷方向２０とは反対に移動され、同時に、印刷媒体１０を横切って、走査レール１３５に沿って前後に走査される。
【０００８】
伝動ベルト１３０は、キャリッジモーター１４０によって駆動され、一部の例では、走査型プリンタキャリッジ１１０は、伝動ベルト１３０の片側に沿って指定された点に取り付けられてもよい。キャリッジモーター１４０が伝動ベルト１３０を駆動すると、走査型プリンタキャリッジ１１０は、伝動ベルト１３０によって走査レール１３５に沿って推進される。一部の例では、伝動ベルト１３０は、張力をかけた状態に維持された歯付きゴムベルトである。一部の例では、伝動ベルト１３０は、キャリッジモーター１２０によって駆動されるウインチによって前後に駆動することができる駆動ワイヤであってもよい。ワイヤの遊びをなくすために、駆動ワイヤも、張力をかけた状態に維持される。駆動ワイヤは、例えば電気を通すことが可能な裸のワイヤであってもよい。
【０００９】
例示的プリンタシステム１００は、１以上のプリント回路基板（ＰＣＢ）を有し、プリント回路基板は、プリンタシステム１００の内部部品の制御やそのような内部部品への給電に使用されるプリンタ制御電子回路１０５を含む。プリント回路基板は、非導電性基板上に積層された銅シートからエッチングされた導電性トラック、パッド、及びその他の機能を使用して、電子部品を機械的に支持するとともに、電気的に接続する。複数のＰＣＢは、１つ以上のバスを介して、互いに接続される場合がある。
【００１０】
図１に示した例では、プリンタ制御電子回路１０５は、走査型プリンタキャリッジ１１０に印刷データを伝送するデータ制御ユニット１４０を含む。データ制御ユニット１４０から走査型プリンタキャリッジ１１０の各プリントヘッドへ伝送される印刷データは、例えば、各インク滴１１５の色、体積、及び噴射タイミングに関する情報を含む場合がある。走査型プリンタキャリッジ１１０を移動させる命令は、データ制御ユニット１４０からキャリッジモーター１２０に送られる。印刷データ２００及び移動させる命令は、図１に点線で示した専用ケーブルに沿って伝送される。
【００１１】
プリンタ制御電子回路１０５は、走査型プリンタキャリッジ１１０内のプリントヘッドに電力を供給する電源１５０、及びキャリッジモーター１２０をさらに含む。電力は、図１に破線で示した専用ケーブルに沿って伝送される。この例では、同じ電源１５０が、キャリッジモーター１２０と走査型プリンタキャリッジ１１０との両方に電力を供給している。
【００１２】
プリンタシステムの最近の種々の例は、走査軸の中央寄りにプリンタシステムに接続されたフラットで柔軟な「膜」データ及び／又は電源ケーブルを含む。フラットな「膜」データ及び／又は電源ケーブルによれば、走査型プリンタキャリッジ１１０を走査レール１３５に沿って前後に走査することが可能となり、また、電源／データケーブルを折り曲げ、走査型プリンタキャリッジ１１０上のコネクタの中に折り込むことにより、電源／データケーブルを走査型プリンタキャリッジ１１０に追従させることが可能となる。
【００１３】
専用の電源ケーブル及び／又はデータケーブルは、例えばコネクタ、スプリング、ケーブルガイド、グリース等のようなプリンタシステム１００の特別な部品に繋がっている。部品の数が増えると、複雑な運動力学に起因して、例えば、走査型プリンタキャリッジ１１０が走査レール１３５を移動する際に、走査型プリンタキャリッジ１１０への追従に機械的問題が発生する可能性が高くなる。
【００１４】
走査型プリンタキャリッジ１１０を有するプリンタシステム１００の例示的説明によれば、例えば、プリンタ制御電子回路１０５から走査型プリンタキャリッジ１１０へのデータ通信及び電力伝送のためのケーブル接続を減らすことができる。
【００１５】
図２ａは、印刷データが、専用のリボン又はケーブルを介してではなく、無線伝送プロトコルにより走査型プリンタキャリッジに伝送される、本開示の一例を示している。
【００１６】
図２ａに示した概略例では、プリンタシステム１００は、走査型プリンタキャリッジ１１０、キャリッジモーター１２０、及びキャリッジモーター１２０と走査型プリンタキャリッジ１１０との間の伝動ベルト１３０を含む。キャリッジモーター１２０は、伝動ベルトを使用して、走査型プリンタキャリッジ１１０を、印刷方向に対して垂直に、印刷媒体を横切って、走査レールに沿って前後に駆動する。
【００１７】
プリンタシステム１００は、印刷データ２００を走査型プリンタキャリッジ１１０に伝送するデータ制御ユニット１４０をさらに含む。図示の例では、走査型プリンタキャリッジ１１０を移動させる命令は、物理的配線／回路を介して、データ制御ユニット１４０からキャリッジモーター１２０へ伝送される。
【００１８】
図示の例では、データ制御ユニット１４０と走査型プリンタキャリッジ１１０との両方がそれぞれ、無線通信ノード２０１を含む。無線伝送ノード２０１は、（データを送信するための）送信機及び（データを受信するための）受信機のうちの少なくとも一方を含む。一部の例では、無線伝送ノード２０１は、トランシーバー（すなわち、送受信機）である。データ制御ユニット１４０は、無線通信ノード２０１を介して、印刷データ２００を走査型プリンタキャリッジ１１０に伝送する。
【００１９】
図２ｂは、印刷データが、専用のリボン又はケーブルを介してではなく、伝動ベルト内の導電性素子を介して走査型プリンタキャリッジに伝送される、本開示の一例を示している。例えば、導電性素子は、ゴムベルトに沿って配置された柔軟な導電性膜であってもよく、ベルトが駆動されるときに導電性アクセスを提供するように、片側が露出したままの状態にされる場合がある。電源を備えた端末で電気ブラシを使用することにより、端末と移動する伝動ベルト１３０との間の電気的接触を維持することができる。
【００２０】
図２ｂに示した概略例では、プリンタシステム１００は、走査型プリンタキャリッジ１１０、キャリッジモーター１２０、及びキャリッジモーター１２０と走査型プリンタキャリッジ１１０との間の伝動ベルト１３０を含む。キャリッジモーター１２０は、伝動ベルトを使用して、走査型プリンタキャリッジ１１０を、印刷方向２０（すなわち、媒体進行方向）に対して垂直に、印刷媒体を横切って、走査レールに沿って前後に駆動する。
【００２１】
プリンタシステム１００は、印刷データ２００を走査型プリンタキャリッジ１１０に伝送するデータ制御ユニット１４０をさらに含む。図示の例では、走査型プリンタキャリッジ１１０を移動させる命令は、物理的配線／回路を介して、データ制御ユニット１４０からキャリッジモーター１２０へ伝送される。
【００２２】
図示の例では、伝動ベルト１３０は、導電性素子２０２を含む。データ制御ユニット１４０は、伝動ベルト１３０内の導電性素子２０２を介して、印刷データ２００を走査型プリンタキャリッジ１１０に伝送する。
【００２３】
図３ａは、電力が、専用のリボン又はケーブルを介してではなく、電磁誘導により走査型プリンタキャリッジに伝送される、本開示の一例を示している。電磁誘導を使用することで、２つの対象物間でエネルギーを伝送することができる。エネルギーは、誘導結合によって電気的装置に伝送され、電気的装置は、そのエネルギーを使用して、その装置を充電又は作動させることができる。
【００２４】
第１の装置の第１の誘導コイルが、交番電磁界を生成すると、第２の装置の第２の誘導コイルは、その電磁界から電力を取得し、それを電流に変換することによって、バッテリーを充電し、若しくは装置を作動させる。近接する２つの誘導コイルの組み合わせが、電気の変圧器を形成している。
【００２５】
図３ａに示した概略例では、プリンタシステム１００は、走査型プリンタキャリッジ１１０、キャリッジモーター１２０、及びキャリッジモーター１２０と走査型プリンタキャリッジ１１０との間の伝動ベルト１３０を含む。キャリッジモーター１２０は、伝動ベルトを使用して、走査型プリンタキャリッジ１１０を、印刷方向に対して垂直に、印刷媒体を横切って、走査レールに沿って前後に駆動する。
【００２６】
プリンタシステム１００は、キャリッジモーター１２０と走査型プリンタキャリッジ１１０との両方に電力を伝送する電源１５０をさらに含む。図示の例では、電力は、物理的配線／回路を介して、電源１５０からキャリッジモーター１２０へ伝送される。
【００２７】
図示の例では、電源１５０と走査型プリンタキャリッジ１１０との両方がそれぞれ、電磁誘導コイル３０１を含む。電源１５０は、電磁誘導コイル３０１間の電磁誘導により、電力３００を走査型プリンタキャリッジ１１０に伝送する。
【００２８】
図３ｂは、電力が、専用のリボン又はケーブルを介してではなく、伝動ベルト内の導電性素子を介して、走査型プリンタキャリッジに伝送される、本開示の一例を示している。
【００２９】
図３ｂに示した概略例では、プリンタシステム１００は、走査型プリンタキャリッジ１１０、キャリッジモーター１２０、及びキャリッジモーター１２０と走査型プリンタキャリッジ１１０との間の伝動ベルト１３０を含む。キャリッジモーター１２０は、伝動ベルトを使用して、走査型プリンタキャリッジ１１０を、印刷方向に対して垂直に、印刷媒体を横切って、走査レールに沿って前後に駆動する。
【００３０】
プリンタシステム１００は、キャリッジモーター１２０と走査型プリンタキャリッジ１１０との両方に電力を伝送する電源１５０をさらに含む。図示の例では、電力は、物理的配線／回路を介して、電源１５０からキャリッジモーター１２０へ伝送される。
【００３１】
図示の例では、伝動ベルト１３０は、導電性素子３０２を含む。電源１５０は、伝動ベルト１３０内の導電性素子３０２を介して、電力３００を走査型プリンタキャリッジ１１０に伝送する。
【００３２】
図４は、印刷データが、無線伝送プロトコルにより走査型プリンタキャリッジに伝送され、電力が、伝動ベルト内の導電性素子を介して走査型プリンタキャリッジに伝送される、本開示の一例を示している。
【００３３】
図４に示した概略例では、プリンタシステム１００は、走査型プリンタキャリッジ１１０、キャリッジモーター１２０、及びキャリッジモーター１２０と走査型プリンタキャリッジ１１０との間の伝動ベルト１３０を含む。キャリッジモーター１２０は、伝動ベルトを使用して、走査型プリンタキャリッジ１１０を、印刷方向に対して垂直に、印刷媒体を横切って、走査レールに沿って前後に駆動する。
【００３４】
プリンタシステム１００は、印刷データ２００を走査型プリンタキャリッジ１１０に伝送するデータ制御ユニット１４０をさらに含む。図示の例では、走査型プリンタキャリッジ１１０を移動させる命令は、物理的配線／回路を介して、データ制御ユニット１４０からキャリッジモーター１２０へ伝送される。
【００３５】
図示の例では、データ制御ユニット１４０と走査型プリンタキャリッジ１１０とがそれぞれ、無線通信ノード２０１を含む。データ制御ユニット１４０は、無線通信ノード２０１間で、印刷データ２００を走査型プリンタキャリッジ１１０に伝送する。一部の例では、走査型プリンタキャリッジ１１０から、フィードバックデータがさらに、データ制御ユニット１４０によって受信されてもよい。
【００３６】
プリンタシステム１００は、キャリッジモーター１２０と走査型プリンタキャリッジ１１０との両方に電力を伝送する電源１５０をさらに含む。図示の例では、電力は、物理的配線／回路を介して、電源１５０からキャリッジモーター１２０へ伝送される。
【００３７】
図示の例では、伝動ベルト１３０は、導電性素子３０２を含む。電源１５０は、伝動ベルト１３０の導電性素子３０２を介して、電力３００を走査型プリンタキャリッジ１１０に伝送する。
【００３８】
図５は、図４に示したプリンタシステム１００による例示的方法５００を示している。ブロック５１０で、この方法は、プリンタシステム１００内で、データ制御ユニット１４０から走査型プリンタキャリッジ１１０へ、２つの無線通信ノード２０１間で印刷データ２００を伝送することを含む。
【００３９】
ブロック５２０において、この方法は、プリンタシステム１００内で、電源１５０から走査型プリンタキャリッジ１１０へ、キャリッジモーター１２０と走査型プリンタキャリッジ１１０との間の伝動ベルト１３０内の導電性素子３０２を介して電力３００を伝送することを含む。
【００４０】
図６は、一組のコンピュータ読み取り可能命令６１０、６１５、６２０、６２５を含む非一時的コンピュータ読み取り可能記憶媒体６０５であって、一組のコンピュータ読み取り可能命令６１０、６１５、６２０、６２５が、画像形成装置に関連する少なくとも１つのプロセッサ６００によって実行されたときに、本明細書に記載された例による方法の１つをプロセッサ６００に実施させる、非一時的コンピュータ読み取り可能記憶媒体６０５の一例を示している。一組のコンピュータ読み取り可能命令６１０、６１５、６２０、６２５は、機械読み取り可能媒体から読み出される場合があり、例えば、命令実行システムによって使用され、若しくは命令実行システムに関係するプログラム及びデータを含み、記憶し、又は保持することが可能な任意の媒体から読み出される場合がある。この場合、機械読み取り可能媒体は、例えば、電子媒体、磁気媒体、光学媒体、電磁気媒体、又は半導体媒体のような多数の物理媒体のうちの何れか１つを含み得る。適当な機械読み取り可能媒体のより具体的な例としては、限定はしないが、ハードドライブ、ランダムアクセスメモリ（ＲＡＭ）、リードオンリーメモリ（ＲＯＭ）、消去可能なプログラマブルリードオンリーメモリ、及びポータブルディスクが挙げられる。
【００４１】
一例では、ブロック６１０で、この方法は、プリンタシステム１００内で、データ制御ユニット１４０から走査型プリンタキャリッジ１１０へ、２つの無線通信ノード２０１間で印刷データ２００を伝送することを含む。
【００４２】
別の例では、ブロック６１５で、この方法は、プリンタシステム１００内で、データ制御ユニット１４０から走査型プリンタキャリッジ１１０へ、キャリッジモーター１２０と走査型プリンタキャリッジ１１０との間の伝動ベルト１３０内の導電性素子３０２を介して印刷データ２００を伝送することを含む。
【００４３】
ブロック６２０で、この方法は、プリンタシステム１００内で、電源１５０から走査型プリンタキャリッジ１１０へ、キャリッジモーター１２０と走査型プリンタキャリッジ１１０との間の伝動ベルト１３０内の導電性素子３０２を介して電力３００を伝送することを含む。ブロック６２５で、この方法は、代わりに、プリンタシステム１００内で、電源１５０から走査型プリンタキャリッジ１１０へ、電磁誘導により電力３００を伝送することを含む場合がある。
【００４４】
一部の例では、印刷データ２００の伝送に使用される無線通信ノード２０１は、印刷トレース回路上に組み込まれたアンテナを含む場合があり、無線通信ノード２０１は、データ制御ユニット１４０や走査型プリンタキャリッジ１１０自体に埋め込まれてもよい。
【００４５】
一部の例では、電力伝送システムは、走査レール１３５に沿って走査型プリンタキャリッジ１１０を駆動するとともに、印刷の目的のために走査型プリンタキャリッジ１１０に電力３００を供給する駆動ワイヤによって実施される。機械的推進システム内に組み込まれる電源は、ワイヤや金属ベルトに基づくものであってもよいし、力学的抵抗により力を伝送可能な任意の導電性素子に基づくものであってもよい。一例では、伝動ベルト１３０に対するブラシ接点を使用することにより、電源１５０と伝動ベルト１３０との間の電気的接続が維持される。これによって、伝動ベルト１３０が動いているときでも、伝動ベルト１３０を介して電力３００を伝送することが可能となる。
【００４６】
上記の例の何れかにおける無線データ伝送は、多数の既存の無線プロトコルのうちの何れにより実施されてもよく、既存の無線プロトコルとしては、限定はしないが、例えば、無線パーソナルエリアネットワークプロトコル（例えば、ＢＬＵＥＴＯＯＴＨ（登録商標）、ＺＩＧＢＥＥ（登録商標））；無線ローカルエリアネットワークプロトコル（例えば、ＷＩＦＩ（登録商標））；他のＩＥＥＥ  ８０２．×規格のプロトコル；無線；及び赤外線が挙げられる。
【００４７】
ＷＩＦＩ（登録商標）伝送は、プリンタシステムのような画像形成装置にとって適当なデータ伝送速度及び伝送範囲を提供する。
【００４８】
ＢＬＵＥＴＯＯＴＨ（登録商標）伝送は、容易なデバイス統合を提供し、したがって、カスタム設計に簡単に組み込むことができる。
【００４９】
赤外線データ伝送は、デバイス内で簡単に実施することができ、送信機と受信機との間に見通し線がある場合に便利な選択である。
【００５０】
一部の例では、プリンタシステム１００は、走査型プリンタキャリッジ１１０の走査軸に沿って３以上の無線通信ノード２０１及び／又は電磁誘導コイル３０１を含む場合がある。これによって、データ及び／又は電力の伝送の冗長度が得られる。例えば、プリンタシステム１００内の第１の無線通信ノード２０１と走査型プリンタキャリッジ１１０との間で印刷データ２００が正常に伝送されない場合、第３（又は後続）の無線通信ノード２０１が、その印刷データ２００を伝送することができる。同様に、走査型プリンタキャリッジ１１０の走査軸に沿って近接して配置された複数の電磁誘導コイル３０１によれば、走査型プリンタキャリッジ１１０が走査レール１３５を横切るときに、より堅牢な電力供給が可能となる。電磁誘導コイル３０１の数が多いほど、また、それらが走査型プリンタキャリッジ１１０に近づくほど、電磁誘導による電力３００の伝送は、より効率的になる。
【００５１】
一部の例では、伝動ベルト１３０がキャリッジモーター１２０によって加減速されると、走査型プリンタキャリッジ１１０は、伝動ベルト１３０と一緒に移動する。上記の例では、印刷データ２００；電力３００；又は、印刷データ２００と電力３００の両方が、伝動ベルト１３０内の導電性素子２０２、３０２を介して走査型プリンタキャリッジ１１０へと伝送され、印刷データ２００及び／又は電力３００を、走査型プリンタキャリッジ１１０内で終端された標準的電気端子によって取得することができる。次に、印刷データ２００及び／又は電力３００を、内部配線及び回路によって、走査型プリンタキャリッジ１１０内の対応する内部部品に導くことができる。
【００５２】
上記の例では、印刷データ２００、電力３００；又は、印刷データ２００と電力３００の両方が、無線通信プロトコル又は電磁誘導（必要に応じて）を介して、走査型プリンタキャリッジ１１０へと伝送され、印刷データ２００及び／又は電力３００を、走査型プリンタキャリッジ１１０内の無線通信ノード２０１及び／又は電磁誘導コイル３０１によって取得することができる。
【００５３】
一部の例では、無線伝送ノード２０１は、データ制御ユニット１４０と走査型プリンタキャリッジ１１０との間の印刷データ２００の連続的かつ円滑な伝送を支援するために、バッファの形をしたメモリを含む。
【００５４】
一部の例では、無線伝送プロトコルは、巡回冗長検査（ＣＲＣ）のような誤り検出／検査コードを含む。ＣＲＣは、生データの偶発的変化（誤り及び破損）の検出に使用される。伝送時に、データの種々のブロックに、短い計算検査値が付与される。データの受信時に、検査計算が繰り返され、検査値が一致しない場合、データ破損に対して訂正措置を講じることができる。ＣＲＣは、誤りの訂正だけでなく、識別にも使用できる。
【００５５】
一部の例では、印刷データ２００は、印刷動作中にデータ制御ユニット１４０と走査型プリンタキャリッジ１１０との間で、連続的に伝送される。他の例では、印刷データ２００は、データ制御ユニット１４０から走査型プリンタキャリッジ１１０へ、バーストデータの形で伝送される。印刷データ２００の各バーストは、例えば単一印刷行についての全情報のような、ある印刷行全体についての情報を含む。
【００５６】
一部の例では、印刷データ２００及び／又は電力３００の両方が、同じ通信／電力チャネルを介して伝送される。例えば、電力線通信（ＰＬＣ）のように、データ信号を電力信号に統合することにより、単一の導電性素子２０２／３０２を使用して、印刷データ２００と電力３００の両方を走査型プリンタキャリッジ１１０に提供することができる。別の例では、伝動ベルト１３０は、２以上の導電性素子２０２、３０２を含む場合があり、それらを介して、印刷データ２００と電力３００を別々に伝送する場合がある。別の例では、印刷データ２００と電力３００の両方を、電磁誘導により伝送する場合がある。
【００５７】
本開示によれば、印刷データ２００の転送又は電力３００の供給のための物理的ケーブルの数を減らすことができる走査型プリンタシステム１００が得られる。本開示によれば、動的に移動するケーブルの数を減らすことができるため、例えば、損傷、破壊的故障、及びサービス介入等のリスクを減らすことができる。
【００５８】
上記の説明は、記載した原理の種々の例を図示説明するために提示されている。この説明は、網羅的であることも、それらの原理を開示した厳密な形に限定することも、意図していない。上記の教示に照らして、多くの修正や変更が可能である。何れか１つの例に関して記載された機能は何れも、単独で使用されてもよいし、記載した他の特徴と組み合わせて使用されてもよく、あるいは、他の例若しくは他の複数の例の組み合わせの何らかの特徴と組み合わせて使用されてもよいものと理解すべきである。
【図１】
2020524102.tif 000003
【図２ａ】
2020524102.tif 000004
【図２ｂ】
2020524102.tif 000005
【図３ａ】
2020524102.tif 000006
【図３ｂ】
2020524102.tif 000007
【図４】
2020524102.tif 000008
【図５】
2020524102.tif 000009
【図６】
2020524102.tif 000010
【国際調査報告】
2020524102.tif 000011